(57)【要約】      （修正有）【課題】回転と移動及び角度調整機能を付帯し、スマホのサイズによって調節でき、スマホを傷つけない自撮り棒を提供する。【解決手段】本体９０１は、棒体と側板１０を含み、棒体の左側端面には底板５１が固定的に取り付けられ、底板の頂部端面には左右に対称的な下連結ブロック５２が固定的に取り付けられ、下連結ブロックの間にはヒンジ軸５９が固定的に取り付けられる。ヒンジ軸には上連結ブロック５４がヒンジで取り付けられ、上連結ブロックの頂部端面には調節台座５０が固定的に取り付けられる。調節台座の中には左右の移動を制御できる移動機構と撮影角度を調節できる調節機構とが設置される。側板の中にはスマホを挟みむ挟み機構１５が設置され、側板と調節台座との間には回転を制御する回転機構が設置される。【選択図】図１
2020182202.tif 000002
【特許請求の範囲】
【請求項１】
正面視で、自撮り棒であって、本体を含み、前記本体は棒体と側板を含み、前記棒体の左側端面には底板が固定的に取り付けられ、前記底板の頂部端面には左右に対称的な下連結ブロックが固定的に取り付けられ、前記下連結ブロックの間にはヒンジ軸が固定的に取り付けられ、前記ヒンジ軸には上連結ブロックがヒンジで取り付けられ、前記上連結ブロックの頂部端面には調節台座が固定的に取り付けられ、前記調節台座の中には左右の移動を制御できる移動機構と撮影角度を調節できる調節機構とが設置され、前記側板の中にはスマホを挟みむ挟み機構が設置され、前記側板と前記調節台座との間には回転を制御する回転機構が設置され、前記本体はまた前記調節台座の中に位置して下に開口した電池チャンバＡを含み、前記電池チャンバＡの開口したところには蓋板がヒンジで連結され、前記側板の中には後に開口した電池チャンバＢが設置されていることを特徴とする自撮り棒。
【請求項２】
前記挟み機構は前記側板の中に位置して上に開口した伸縮溝を含み、前記伸縮溝の中には伸縮挟み板がスライドできるように取り付けられ、前記伸縮溝の左右両側の壁の中には対称的な位置制限溝Ａが設置され、前記伸縮挟み板の左右両側端面には位置制限ブロックＡが固定的に取り付けられ、前記位置制限ブロックＡと前記位置制限溝Ａとがスライドできるように連結され、前記側板の底部端面には固定挟み板が固定的に取り付けられ、前記固定挟み板と前記伸縮挟み板との前側端面には挟みブロックが固定的に取り付けられ、上下両側の前記挟みブロックの端面にはゴム敷が固定的に取り付けられ、前記挟みブロックの中にはボタン機構が設置され、前記ボタン機構は二つあり且つ上下に対称的であり、下方の前記ボタン機構を例にすれば、前記ボタン機構は前記挟みブロックの中に位置して上に開口したボタン溝を含み、前記ボタン溝の中にはボタンブロックがスライドできるように取り付けられ、前記ボタン溝の左側の内壁には位置制限溝Ｂが設置され、前記ボタンブロックの左側端面には位置制限ブロックＢが固定的に取り付けられ、前記位置制限ブロックＢと前記位置制限溝Ｂとがスライドできるように連結され、前記ボタン溝の底部端面には接触スイッチが固定的に取り付けられ、前記ボタンブロックと前記ボタン溝の底壁との間には撥条が固定的に取り付けられ、前記伸縮溝の後側には噛合チャンバが連通して設置され、前記噛合チャンバの右側壁の中にはモーターＡが固定的に取り付けられ、前記モーターＡの左側の出力軸には噛合歯車が固定的に取り付けられ、前記噛合歯車と前記伸縮挟み板とが噛合しており、
それによりスマホを下方の前記挟みブロックに置き、重力の作用によって下方の前記ボタンブロックが下へ押され、下方の前記接触スイッチが押された後前記モーターＡが始動して前記噛合歯車を回転連動させ、前記噛合歯車が噛合によって前記伸縮挟み板を下へ移動連動させ、前記伸縮挟み板が下へ移動するにしたがって、上方の前記ボタンブロックと上方の前記接触スイッチとが接触した後前記モーターＡが停止することを特徴とする請求項１に記載の自撮り棒。
【請求項３】
前記移動機構には前記調節台座の中に位置して上に開口したスライド溝が含まれ、前記スライド溝の左右壁の間にはネジ山軸が回転できるように取り付けられ、前記スライド溝の中にはスライド棒がスライドできるように取り付けられ、前記スライド棒と前記ネジ山軸とがネジ山によって連結され、前記スライド溝の右側には伝動チャンバが設置され、前記ネジ山軸が前記伝動チャンバの中に入っており、前記ネジ山軸において前記伝動チャンバの右側壁の中に位置した軸にはリングギアが設置され、前記スライド溝の下方にはモーターＢが設置され、前記伝動チャンバの右側壁の中には回転軸が回転できるように取り付けられ、前記回転軸には伝動歯車が固定的に取り付けられ、前記伝動歯車と前記ネジ山軸とが噛合しており、前記回転軸の左側端面には前記モーターＢの右側の出力軸と磁力によって接続された電磁石Ａが固定的に取り付けられ、
それにより前記電磁石Ａが充電して磁力を生じた後前記モーターＢが始動して前記回転軸と前記伝動歯車を回転連動させ、前記伝動歯車が噛合によって前記ネジ山軸を回転連動させ、前記ネジ山軸がネジ山によって前記スライド棒を移動連動させることを特徴とする請求項１に記載の自撮り棒。
【請求項４】
前記回転機構は前記側板の後側端面に固定的に取り付けられた板体Ａと板体Ｂとを含み、前記スライド棒の頂部端面には固定遊動輪が固定的に取り付けられ、前記板体Ａの底部端面には回転棒状体が固定的に取り付けられ、前記回転棒状体と前記固定遊動輪とが回転できるように連結され、前記板体Ｂと前記スライド棒とが回転できるように連結され、前記側板の後側端面の中には後に開口した遊動輪チャンバが設置され、前記遊動輪チャンバの底壁の中にはモーターＣが固定的に取り付けられ、前記モーターＣの上に向いた出力軸には回転遊動輪が固定的に取り付けられ、前記回転遊動輪と前記固定遊動輪とが噛合し、
それにより前記モーターＣが始動する時前記回転遊動輪を回転連動させ、前記固定遊動輪が前記スライド棒に固定され、前記回転遊動輪が噛合によって前記側板に前記固定遊動輪の周りを回転させることを特徴とする請求項１に記載の自撮り棒。
【請求項５】
前記調節機構は前記スライド溝の下方に位置した線巻きチャンバを含み、前記線巻きチャンバの左右壁の間には線巻き軸が回転できるように取り付けられ、前記線巻き軸の右側端面には前記モーターＢの左側の出力軸と磁力によって接続されるＢが固定的に取り付けられ、前記線巻き軸にはリールが固定的に取り付けられ、前記リールには二本の中心対称的な調節紐が固定的に巻き付いており、前記調節紐と前記底板の頂部端面とが固定され、前記線巻きチャンバの底壁には左右に対称的な軸係止ブロックが固定的に取り付けられ、前記軸係止ブロックと前記線巻き軸とが回転できるようにきつく連結され、
それにより前記電磁石Ｂが通電して磁力を生じる時、前記モーターＢが前記線巻き軸を回転連動させ、前記線巻き軸がリールを回転連動させ、前記リールが前記調節紐を巻き納め、前記調節台座を連動させて前記底板に対して角度を変化させる請求項１に記載の自撮り棒。
【発明の詳細な説明】
【技術分野】
【０００１】
本発明は自撮り棒の分野を取り上げて、具体的には自撮り棒である。
【背景技術】
【０００２】
自撮り棒を利用して効果が良い写真を撮れ、録画もでき、ところがニーズが高まるにつれて、多くの自撮り棒の機能はもうニーズを満足できなく、自撮り棒の角度の調節及び方向の回転はほぼ手動で、水平に移動もできず、スマホを固定する挟み板はスマホの大きさによって調節できず、スマホを傷つけやすく、そのため改善された自撮り棒が必要である。
【先行技術文献】
【特許文献】
【０００３】
【特許文献１】中国特許出願公開第１０７０６１９３８号明細書
【発明の概要】
【発明が解決しようとする課題】
【０００４】
本発明の目的は自撮り棒を提供し、現有の技術の上記欠点を克服できる。
【課題を解決するための手段】
【０００５】
本発明の実施例における自撮り棒は、本体を含み、前記本体は棒体と側板を含み、前記棒体の左側端面には底板が固定的に取り付けられ、前記底板の頂部端面には左右に対称的な下連結ブロックが固定的に取り付けられ、前記下連結ブロックの間にはヒンジ軸が固定的に取り付けられ、前記ヒンジ軸には上連結ブロックがヒンジで取り付けられ、前記上連結ブロックの頂部端面には調節台座が固定的に取り付けられ、前記調節台座の中には左右の移動を制御できる移動機構と撮影角度を調節できる調節機構とが設置され、前記側板の中にはスマホを挟みむ挟み機構が設置され、前記側板と前記調節台座との間には回転を制御する回転機構が設置され、前記本体はまた前記調節台座の中に位置して下に開口した電池チャンバＡを含み、前記電池チャンバＡの開口したところには蓋板がヒンジで連結され、前記側板の中には後に開口した電池チャンバＢが設置されている。
【０００６】
更なる技術方案、前記挟み機構は前記側板の中に位置して上に開口した伸縮溝を含み、前記伸縮溝の中には伸縮挟み板がスライドできるように取り付けられ、前記伸縮溝の左右両側の壁の中には対称的な位置制限溝Ａが設置され、前記伸縮挟み板の左右両側端面には位置制限ブロックＡが固定的に取り付けられ、前記位置制限ブロックＡと前記位置制限溝Ａとがスライドできるように連結され、前記側板の底部端面には固定挟み板が固定的に取り付けられ、前記固定挟み板と前記伸縮挟み板との前側端面には挟みブロックが固定的に取り付けられ、上下両側の前記挟みブロックの端面にはゴム敷が固定的に取り付けられ、前記挟みブロックの中にはボタン機構が設置され、前記ボタン機構は二つあり且つ上下に対称的であり、下方の前記ボタン機構を例にすれば、前記ボタン機構は前記挟みブロックの中に位置して上に開口したボタン溝を含み、前記ボタン溝の中にはボタンブロックがスライドできるように取り付けられ、前記ボタン溝の左側の内壁には位置制限溝Ｂが設置され、前記ボタンブロックの左側端面には位置制限ブロックＢが固定的に取り付けられ、前記位置制限ブロックＢと前記位置制限溝Ｂとがスライドできるように連結され、前記ボタン溝の底部端面には接触スイッチが固定的に取り付けられ、前記ボタンブロックと前記ボタン溝の底壁との間には撥条が固定的に取り付けられ、前記伸縮溝の後側には噛合チャンバが連通して設置され、前記噛合チャンバの右側壁の中にはモーターＡが固定的に取り付けられ、前記モーターＡの左側の出力軸には噛合歯車が固定的に取り付けられ、前記噛合歯車と前記伸縮挟み板とが噛合している。
【０００７】
更なる技術方案、前記移動機構には前記調節台座の中に位置して上に開口したスライド溝が含まれ、前記スライド溝の左右壁の間にはネジ山軸が回転できるように取り付けられ、前記スライド溝の中にはスライド棒がスライドできるように取り付けられ、前記スライド棒と前記ネジ山軸とがネジ山によって連結され、前記スライド溝の右側には伝動チャンバが設置され、前記ネジ山軸が前記伝動チャンバの中に入っており、前記ネジ山軸において前記伝動チャンバの右側壁の中に位置した軸にはリングギアが設置され、前記スライド溝の下方にはモーターＢが設置され、前記伝動チャンバの右側壁の中には回転軸が回転できるように取り付けられ、前記回転軸には伝動歯車が固定的に取り付けられ、前記伝動歯車と前記ネジ山軸とが噛合しており、前記回転軸の左側端面には前記モーターＢの右側の出力軸と磁力によって接続された電磁石Ａが固定的に取り付けられる。
【０００８】
更なる技術方案、前記回転機構は前記側板の後側端面に固定的に取り付けられた板体Ａと板体Ｂとを含み、前記スライド棒の頂部端面には固定遊動輪が固定的に取り付けられ、前記板体Ａの底部端面には回転棒状体が固定的に取り付けられ、前記回転棒状体と前記固定遊動輪とが回転できるように連結され、前記板体Ｂと前記スライド棒とが回転できるように連結され、前記側板の後側端面の中には後に開口した遊動輪チャンバが設置され、前記遊動輪チャンバの底壁の中にはモーターＣが固定的に取り付けられ、前記モーターＣの上に向いた出力軸には回転遊動輪が固定的に取り付けられ、前記回転遊動輪と前記固定遊動輪とが噛合している。
【０００９】
更なる技術方案、前記調節機構は前記スライド溝の下方に位置した線巻きチャンバを含み、前記線巻きチャンバの左右壁の間には線巻き軸が回転できるように取り付けられ、前記線巻き軸の右側端面には前記モーターＢの左側の出力軸と磁力によって接続されるＢが固定的に取り付けられ、前記線巻き軸にはリールが固定的に取り付けられ、前記リールには二本の中心対称的な調節紐が固定的に巻き付いており、前記調節紐と前記底板の頂部端面とが固定され、前記線巻きチャンバの底壁には左右に対称的な軸係止ブロックが固定的に取り付けられ、前記軸係止ブロックと前記線巻き軸とが回転できるようにきつく連結されている。
【発明の効果】
【００１０】
本発明の有益な効果は下記の通りである：
【００１１】
本発明は構成が簡単で、操作が便利で、スマホを挟むのが便利で、スマホを置けばスマホの重力によってスマホを固定しそれに固定する力が大きくなく、スマホのサイズによって調節でき、スマホに傷つけず、それに回転と、移動及び角度調整機能が付帯し、撮影と録画の効果がもっとよくなり、使用ニーズを満足でき、普及する価値がある。
【図面の簡単な説明】
【００１２】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の全体構成模式図
【図２】図２は図１のＡーＡの方向の断面構成模式図
【図３】図３は図１のＢの拡大模式図
【図４】図４は図２のＣーＣの方向の断面構成模式図
【図５】図５は図２のＤーＤの方向の断面構成模式図
【発明を実施するための形態】
【００１４】
以下は図１〜５について本発明にを詳しく説明し、その中、便利に叙述するように、現在は後文に出る方位を下記の通りに規定する：後文に出る上下左右前後方向は図１本体の投影関係の上下左右前後方向と一致する。
【００１５】
本発明の実施例における自撮り棒は、本体９０１を含み、前記本体９０１は棒体５３と側板１０を含み、前記棒体５３の左側端面には底板５１が固定的に取り付けられ、前記底板５１の頂部端面には左右に対称的な下連結ブロック５２が固定的に取り付けられ、前記下連結ブロック５２の間にはヒンジ軸５９が固定的に取り付けられ、前記ヒンジ軸５９には上連結ブロック５４がヒンジで取り付けられ、前記上連結ブロック５４の頂部端面には調節台座５０が固定的に取り付けられ、前記調節台座５０の中には左右の移動を制御できる移動機構９０２と撮影角度を調節できる調節機構９０３とが設置され、前記側板１０の中にはスマホを挟みむ挟み機構９０４が設置され、前記側板１０と前記調節台座５０との間には回転を制御する回転機構９０５が設置され、前記本体９０１はまた前記調節台座５０の中に位置して下に開口した電池チャンバＡ７０を含み、前記電池チャンバＡ７０の開口したところには蓋板７１がヒンジで連結され、前記側板１０の中には後に開口した電池チャンバＢ３４が設置されている。
【００１６】
有益又は例示的に、前記挟み機構９０４は前記側板１０の中に位置して上に開口した伸縮溝１４を含み、前記伸縮溝１４の中には伸縮挟み板１３がスライドできるように取り付けられ、前記伸縮溝１４の左右両側の壁の中には対称的な位置制限溝Ａ１１が設置され、前記伸縮挟み板１３の左右両側端面には位置制限ブロックＡ１２が固定的に取り付けられ、前記位置制限ブロックＡ１２と前記位置制限溝Ａ１１とがスライドできるように連結され、前記側板１０の底部端面には固定挟み板１５が固定的に取り付けられ、前記固定挟み板１５と前記伸縮挟み板１３との前側端面には挟みブロック１６が固定的に取り付けられ、上下両側の前記挟みブロック１６の端面にはゴム敷１７が固定的に取り付けられ、前記挟みブロック１６の中にはボタン機構８０１が設置され、前記ボタン機構８０１は二つあり且つ上下に対称的であり、下方の前記ボタン機構８０１を例にすれば、前記ボタン機構８０１は前記挟みブロック１６の中に位置して上に開口したボタン溝３８を含み、前記ボタン溝３８の中にはボタンブロック３５がスライドできるように取り付けられ、前記ボタン溝３８の左側の内壁には位置制限溝Ｂ３７が設置され、前記ボタンブロック３５の左側端面には位置制限ブロックＢ３６が固定的に取り付けられ、前記位置制限ブロックＢ３６と前記位置制限溝Ｂ３７とがスライドできるように連結され、前記ボタン溝３８の底部端面には接触スイッチ４０が固定的に取り付けられ、前記ボタンブロック３５と前記ボタン溝３８の底壁との間には撥条４１が固定的に取り付けられ、前記伸縮溝１４の後側には噛合チャンバ１８が連通して設置され、前記噛合チャンバ１８の右側壁の中にはモーターＡ３２が固定的に取り付けられ、前記モーターＡ３２の左側の出力軸には噛合歯車２０が固定的に取り付けられ、前記噛合歯車２０と前記伸縮挟み板１３とが噛合している。それによりスマホを下方の挟みブロック１６に置き、重力の作用によって下方のボタンブロック３５が下へ押され、下方の接触スイッチ４０が押された後モーターＡ３２が始動して噛合歯車２０を回転連動させ、噛合歯車２０が噛合によって伸縮挟み板１３を下へ移動連動させ、伸縮挟み板１３が下へ移動するにしたがって、上方のボタンブロック３５と上方の接触スイッチ４０とが接触した後モーターＡ３２が停止し、スマホを固定させ、スマホを取り出す時スマホを上へ推し、下方のボタンブロック３５が撥条４１の作用によって上へ少しの距離を上がり、下方の接触スイッチ４０が接触されなくなり、モーターＡ３２を反方向に回転させてスマホを放す。
【００１７】
有益又は例示的に、前記移動機構９０２には前記調節台座５０の中に位置して上に開口したスライド溝４５が含まれ、前記スライド溝５６の左右壁の間にはネジ山軸５７が回転できるように取り付けられ、前記スライド溝５６の中にはスライド棒３０がスライドできるように取り付けられ、前記スライド棒３０と前記ネジ山軸５７とがネジ山によって連結され、前記スライド溝５６の右側には伝動チャンバ５８が設置され、前記ネジ山軸５７が前記伝動チャンバ５８の中に入っており、前記ネジ山軸５７において前記伝動チャンバ５８の右側壁の中に位置した軸にはリングギアが設置され、前記スライド溝５６の下方にはモーターＢ６２が設置され、前記伝動チャンバ５８の右側壁の中には回転軸６１が回転できるように取り付けられ、前記回転軸６１には伝動歯車６０が固定的に取り付けられ、前記伝動歯車６０と前記ネジ山軸５７とが噛合しており、前記回転軸６１の左側端面には前記モーターＢ６２の右側の出力軸と磁力によって接続された電磁石Ａ７９が固定的に取り付けられ、
それにより電磁石Ａ７９が充電して磁力を生じた後モーターＢ６２が始動して回転軸６１と伝動歯車６０を回転連動させ、伝動歯車６０が噛合によってネジ山軸５７を回転連動させ、ネジ山軸５７がネジ山によってスライド棒３０を移動連動させる。
【００１８】
有益又は例示的に、前記回転機構９０５は前記側板１０の後側端面に固定的に取り付けられた板体Ａ２１と板体Ｂ２８とを含み、前記スライド棒３０の頂部端面には固定遊動輪２２が固定的に取り付けられ、前記板体Ａ２１の底部端面には回転棒状体２３が固定的に取り付けられ、前記回転棒状体２３と前記固定遊動輪２２とが回転できるように連結され、前記板体Ｂ２８と前記スライド棒３０とが回転できるように連結され、前記側板１０の後側端面の中には後に開口した遊動輪チャンバ２６が設置され、前記遊動輪チャンバ２６の底壁の中にはモーターＣ２７が固定的に取り付けられ、前記モーターＣ２７の上に向いた出力軸には回転遊動輪２５が固定的に取り付けられ、前記回転遊動輪２５と前記固定遊動輪２２とが噛合し、
それによりモーターＣ２７が始動する時回転遊動輪２５を回転連動させ、固定遊動輪２２がスライド棒３０に固定され、回転遊動輪２５が噛合によって側板１０に固定遊動輪２２の周りを回転させる。
【００１９】
有益又は例示的に、前記調節機構９０３は前記スライド溝５６の下方に位置した線巻きチャンバ７２を含み、前記線巻きチャンバ７２の左右壁の間には線巻き軸６４が回転できるように取り付けられ、前記線巻き軸６４の右側端面には前記モーターＢ６２の左側の出力軸と磁力によって接続されるＢ６３が固定的に取り付けられ、前記線巻き軸６４にはリール６５が固定的に取り付けられ、前記リール６５には二本の中心対称的な調節紐５５が固定的に巻き付いており、前記調節紐５５と前記底板５１の頂部端面とが固定され、前記線巻きチャンバ７２の底壁には左右に対称的な軸係止ブロック８０が固定的に取り付けられ、前記軸係止ブロック８０と前記線巻き軸６４とが回転できるようにきつく連結され、
それにより電磁石Ｂ６３が通電して磁力を生じる時、モーターＢ６２が線巻き軸６４を回転連動させ、線巻き軸６４がリール６５を回転連動させ、リール６５が調節紐５５を巻き納め、調節台座５０を連動させて底板５１に対して角度を変化させ、通常状態の時、軸係止ブロック８０と線巻き軸６４のきつい連結によって、使用時に角度が変わらず、手動で力を出して回せば角度を調節できる。
【００２０】
使用する時、スマホを下方の挟みブロック１６に置き、重力の作用によって下方のボタンブロック３５が下へ押され、下方の接触スイッチ４０が押された後モーターＡ３２が始動して噛合歯車２０を回転連動させ、噛合歯車２０が噛合によって伸縮挟み板み１３を下へ移動連動させ、伸縮挟み板１３が下へ移動するにしたがって、上方のボタンブロック３５と上方の接触スイッチ４０とが接触した後モーターＡ３２が停止し、スマホを固定させ、スマホを取り出す時スマホを上へ推し、下方のボタンブロック３５が撥条４１の作用によって少しの距離を上、下方の接触スイッチ４０が接触されなくなり、モーターＡ３２を反方向に回転連動させてスマホを放す。
【００２１】
方向を回転させる時、モーターＣ２７が始動して遊動輪２５を回転連動させ、固定遊動輪２２がスライド棒３０に固定され、回転遊動輪２５が噛合によって側板１０に固定遊動輪２２の周りを回転連動させる。
【００２２】
移動する時、電磁石Ａ７９が充電して磁力を生じ、モーターＢ６２が始動して回転軸６１と伝動歯車６０とを回転連動させ、伝動歯車６０が噛合によってネジ山軸５７を回転連動させ、ネジ山軸５７がネジ山係合によってスライド棒３０を移動連動させる。
【００２３】
角度を調節する時、電磁石Ｂ６３が通電して磁力を生じ、モーターＢ６２が始動して線巻き軸６４を回転連動させ、線巻き軸６４がリール６５を回転連動させ、リール６５が調節紐５５を巻き納め、調節台座５０を連動させて底板５１に対して角度を変化させ、通常状態の時、軸係止ブロック８０と線巻き軸６４とのきつい連結によって使用時に角度が変わらず、手動で力を出して回せば角度を調節できる。
【００２４】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182202.tif 000003
【図２】
2020182202.tif 000004
【図３】
2020182202.tif 000005
【図４】
2020182202.tif 000006
【図５】
2020182202.tif 000007
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
正面視で、自撮り棒であって、本体を含み、前記本体は棒体と側板を含み、前記棒体の左側端面には底板が固定的に取り付けられ、前記底板の頂部端面には左右に対称的な下連結ブロックが固定的に取り付けられ、前記下連結ブロックの間にはヒンジ軸が固定的に取り付けられ、前記ヒンジ軸には上連結ブロックがヒンジで取り付けられ、前記上連結ブロックの頂部端面には調節台座が固定的に取り付けられ、前記調節台座の中には左右の移動を制御できる移動機構と撮影角度を調節できる調節機構とが設置され、前記側板の中にはスマホを挟みむ挟み機構が設置され、前記側板と前記調節台座との間には回転を制御する回転機構が設置され、前記本体はまた前記調節台座の中に位置して下に開口した電池チャンバＡを含み、前記電池チャンバＡの開口したところには蓋板がヒンジで連結され、前記側板の中には後に開口した電池チャンバＢが設置されており、
前記挟み機構は前記側板の中に位置して上に開口した伸縮溝を含み、前記伸縮溝の中には伸縮挟み板がスライドできるように取り付けられ、前記伸縮溝の左右両側の壁の中には対称的な位置制限溝Ａが設置され、前記伸縮挟み板の左右両側端面には位置制限ブロックＡが固定的に取り付けられ、前記位置制限ブロックＡと前記位置制限溝Ａとがスライドできるように連結され、前記側板の底部端面には固定挟み板が固定的に取り付けられ、前記固定挟み板と前記伸縮挟み板との前側端面には挟みブロックが固定的に取り付けられ、上下両側の前記挟みブロックの端面にはゴム敷が固定的に取り付けられ、前記挟みブロックの中にはボタン機構が設置され、前記ボタン機構は二つあり且つ上下に対称的であり、下方の前記ボタン機構を例にすれば、前記ボタン機構は前記挟みブロックの中に位置して上に開口したボタン溝を含み、前記ボタン溝の中にはボタンブロックがスライドできるように取り付けられ、前記ボタン溝の左側の内壁には位置制限溝Ｂが設置され、前記ボタンブロックの左側端面には位置制限ブロックＢが固定的に取り付けられ、前記位置制限ブロックＢと前記位置制限溝Ｂとがスライドできるように連結され、前記ボタン溝の底部端面には接触スイッチが固定的に取り付けられ、前記ボタンブロックと前記ボタン溝の底壁との間には撥条が固定的に取り付けられ、前記伸縮溝の後側には噛合チャンバが連通して設置され、前記噛合チャンバの右側壁の中にはモーターＡが固定的に取り付けられ、前記モーターＡの左側の出力軸には噛合歯車が固定的に取り付けられ、前記噛合歯車と前記伸縮挟み板とが噛合しており、
それによりスマホを下方の前記挟みブロックに置き、重力の作用によって下方の前記ボタンブロックが下へ押され、下方の前記接触スイッチが押された後前記モーターＡが始動して前記噛合歯車を回転連動させ、前記噛合歯車が噛合によって前記伸縮挟み板を下へ移動連動させ、前記伸縮挟み板が下へ移動するにしたがって、上方の前記ボタンブロックと上方の前記接触スイッチとが接触した後前記モーターＡが停止し、
前記移動機構には前記調節台座の中に位置して上に開口したスライド溝が含まれ、前記スライド溝の左右壁の間にはネジ山軸が回転できるように取り付けられ、前記スライド溝の中にはスライド棒がスライドできるように取り付けられ、前記スライド棒と前記ネジ山軸とがネジ山によって連結され、前記スライド溝の右側には伝動チャンバが設置され、前記ネジ山軸が前記伝動チャンバの中に入っており、前記ネジ山軸において前記伝動チャンバの右側壁の中に位置した軸にはリングギアが設置され、前記スライド溝の下方にはモーターＢが設置され、前記伝動チャンバの右側壁の中には回転軸が回転できるように取り付けられ、前記回転軸には伝動歯車が固定的に取り付けられ、前記伝動歯車と前記ネジ山軸とが噛合しており、前記回転軸の左側端面には前記モーターＢの右側の出力軸と磁力によって接続された電磁石Ａが固定的に取り付けられ、
それにより前記電磁石Ａに通電を行い、電磁石Ａが磁性を生じた後前記モーターＢが始動して前記回転軸と前記伝動歯車を回転連動させ、前記伝動歯車が噛合によって前記ネジ山軸を回転連動させ、前記ネジ山軸がネジ山によって前記スライド棒を移動連動させ、
前記回転機構は前記側板の後側端面に固定的に取り付けられた板体Ａと板体Ｂとを含み、前記スライド棒の頂部端面には固定遊動輪が固定的に取り付けられ、前記板体Ａの底部端面には回転棒状体が固定的に取り付けられ、前記回転棒状体と前記固定遊動輪とが回転できるように連結され、前記板体Ｂと前記スライド棒とが回転できるように連結され、前記側板の後側端面の中には後に開口した遊動輪チャンバが設置され、前記遊動輪チャンバの底壁の中にはモーターＣが固定的に取り付けられ、前記モーターＣの上に向いた出力軸には回転遊動輪が固定的に取り付けられ、前記回転遊動輪と前記固定遊動輪とが噛合し、
それにより前記モーターＣが始動する時前記回転遊動輪を回転連動させ、前記固定遊動輪が前記スライド棒に固定され、前記回転遊動輪が噛合によって前記側板に前記固定遊動輪の周りを回転させ、
前記調節機構は前記スライド溝の下方に位置した線巻きチャンバを含み、前記線巻きチャンバの左右壁の間には線巻き軸が回転できるように取り付けられ、前記線巻き軸の右側端面には前記モーターＢの左側の出力軸と磁力によって接続される電磁石Ｂが固定的に取り付けられ、前記線巻き軸にはリールが固定的に取り付けられ、前記リールには二本の中心対称的な調節紐が固定的に巻き付いており、前記調節紐と前記底板の頂部端面とが固定され、前記線巻きチャンバの底壁には左右に対称的な軸係止ブロックが固定的に取り付けられ、前記軸係止ブロックと前記線巻き軸とが回転できるようにきつく連結され、
それにより前記電磁石Ｂが通電して磁力を生じる時、前記モーターＢが前記線巻き軸を回転連動させ、前記線巻き軸がリールを回転連動させ、前記リールが前記調節紐を巻き納め、前記調節台座を連動させて前記底板に対して角度を変化させることを特徴とする自撮り棒。
【手続補正２】
【補正対象書類名】明細書
【補正対象項目名】全文
【補正方法】変更
【補正の内容】
【発明の詳細な説明】
【技術分野】
【０００１】
本発明は自撮り棒の分野を取り上げて、具体的には自撮り棒である。
【背景技術】
【０００２】
自撮り棒を利用して効果が良い写真を撮れ、録画もでき、ところがニーズが高まるにつれて、多くの自撮り棒の機能はもうニーズを満足できなく、自撮り棒の角度の調節及び方向の回転はほぼ手動で、水平に移動もできず、スマホを固定する挟み板はスマホの大きさによって調節できず、スマホを傷つけやすく、そのため改善された自撮り棒が必要である。
【先行技術文献】
【特許文献】
【０００３】
【特許文献１】中国特許出願公開第１０７０６１９３８号明細書
【発明の概要】
【発明が解決しようとする課題】
【０００４】
本発明の目的は自撮り棒を提供し、現有の技術の上記欠点を克服できる。
【課題を解決するための手段】
【０００５】
本発明の実施例における自撮り棒は、本体を含み、前記本体は棒体と側板を含み、前記棒体の左側端面には底板が固定的に取り付けられ、前記底板の頂部端面には左右に対称的な下連結ブロックが固定的に取り付けられ、前記下連結ブロックの間にはヒンジ軸が固定的に取り付けられ、前記ヒンジ軸には上連結ブロックがヒンジで取り付けられ、前記上連結ブロックの頂部端面には調節台座が固定的に取り付けられ、前記調節台座の中には左右の移動を制御できる移動機構と撮影角度を調節できる調節機構とが設置され、前記側板の中にはスマホを挟みむ挟み機構が設置され、前記側板と前記調節台座との間には回転を制御する回転機構が設置され、前記本体はまた前記調節台座の中に位置して下に開口した電池チャンバＡを含み、前記電池チャンバＡの開口したところには蓋板がヒンジで連結され、前記側板の中には後に開口した電池チャンバＢが設置されている。
【０００６】
更なる技術方案、前記挟み機構は前記側板の中に位置して上に開口した伸縮溝を含み、前記伸縮溝の中には伸縮挟み板がスライドできるように取り付けられ、前記伸縮溝の左右両側の壁の中には対称的な位置制限溝Ａが設置され、前記伸縮挟み板の左右両側端面には位置制限ブロックＡが固定的に取り付けられ、前記位置制限ブロックＡと前記位置制限溝Ａとがスライドできるように連結され、前記側板の底部端面には固定挟み板が固定的に取り付けられ、前記固定挟み板と前記伸縮挟み板との前側端面には挟みブロックが固定的に取り付けられ、上下両側の前記挟みブロックの端面にはゴム敷が固定的に取り付けられ、前記挟みブロックの中にはボタン機構が設置され、前記ボタン機構は二つあり且つ上下に対称的であり、下方の前記ボタン機構を例にすれば、前記ボタン機構は前記挟みブロックの中に位置して上に開口したボタン溝を含み、前記ボタン溝の中にはボタンブロックがスライドできるように取り付けられ、前記ボタン溝の左側の内壁には位置制限溝Ｂが設置され、前記ボタンブロックの左側端面には位置制限ブロックＢが固定的に取り付けられ、前記位置制限ブロックＢと前記位置制限溝Ｂとがスライドできるように連結され、前記ボタン溝の底部端面には接触スイッチが固定的に取り付けられ、前記ボタンブロックと前記ボタン溝の底壁との間には撥条が固定的に取り付けられ、前記伸縮溝の後側には噛合チャンバが連通して設置され、前記噛合チャンバの右側壁の中にはモーターＡが固定的に取り付けられ、前記モーターＡの左側の出力軸には噛合歯車が固定的に取り付けられ、前記噛合歯車と前記伸縮挟み板とが噛合している。
【０００７】
更なる技術方案、前記移動機構には前記調節台座の中に位置して上に開口したスライド溝が含まれ、前記スライド溝の左右壁の間にはネジ山軸が回転できるように取り付けられ、前記スライド溝の中にはスライド棒がスライドできるように取り付けられ、前記スライド棒と前記ネジ山軸とがネジ山によって連結され、前記スライド溝の右側には伝動チャンバが設置され、前記ネジ山軸が前記伝動チャンバの中に入っており、前記ネジ山軸において前記伝動チャンバの右側壁の中に位置した軸にはリングギアが設置され、前記スライド溝の下方にはモーターＢが設置され、前記伝動チャンバの右側壁の中には回転軸が回転できるように取り付けられ、前記回転軸には伝動歯車が固定的に取り付けられ、前記伝動歯車と前記ネジ山軸とが噛合しており、前記回転軸の左側端面には前記モーターＢの右側の出力軸と磁力によって接続された電磁石Ａが固定的に取り付けられる。
【０００８】
更なる技術方案、前記回転機構は前記側板の後側端面に固定的に取り付けられた板体Ａと板体Ｂとを含み、前記スライド棒の頂部端面には固定遊動輪が固定的に取り付けられ、前記板体Ａの底部端面には回転棒状体が固定的に取り付けられ、前記回転棒状体と前記固定遊動輪とが回転できるように連結され、前記板体Ｂと前記スライド棒とが回転できるように連結され、前記側板の後側端面の中には後に開口した遊動輪チャンバが設置され、前記遊動輪チャンバの底壁の中にはモーターＣが固定的に取り付けられ、前記モーターＣの上に向いた出力軸には回転遊動輪が固定的に取り付けられ、前記回転遊動輪と前記固定遊動輪とが噛合している。
【０００９】
更なる技術方案、前記調節機構は前記スライド溝の下方に位置した線巻きチャンバを含み、前記線巻きチャンバの左右壁の間には線巻き軸が回転できるように取り付けられ、前記線巻き軸の右側端面には前記モーターＢの左側の出力軸と磁力によって接続される電磁石Ｂが固定的に取り付けられ、前記線巻き軸にはリールが固定的に取り付けられ、前記リールには二本の中心対称的な調節紐が固定的に巻き付いており、前記調節紐と前記底板の頂部端面とが固定され、前記線巻きチャンバの底壁には左右に対称的な軸係止ブロックが固定的に取り付けられ、前記軸係止ブロックと前記線巻き軸とが回転できるようにきつく連結されている。
【発明の効果】
【００１０】
本発明の有益な効果は下記の通りである：
【００１１】
本発明は構成が簡単で、操作が便利で、スマホを挟むのが便利で、スマホを置けばスマホの重力によってスマホを固定しそれに固定する力が大きくなく、スマホのサイズによって調節でき、スマホに傷つけず、それに回転と、移動及び角度調整機能が付帯し、撮影と録画の効果がもっとよくなり、使用ニーズを満足でき、普及する価値がある。
【図面の簡単な説明】
【００１２】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の全体構成模式図
【図２】図２は図１のＡーＡの方向の断面構成模式図
【図３】図３は図１のＢの拡大模式図
【図４】図４は図２のＣーＣの方向の断面構成模式図
【図５】図５は図２のＤーＤの方向の断面構成模式図
【発明を実施するための形態】
【００１４】
以下は図１〜５について本発明にを詳しく説明し、本出願に記載の各方向は、図１と同じ方向から装置を観察するときの方向と同じである。
【００１５】
本発明の実施例における自撮り棒は、本体９０１を含み、前記本体９０１は棒体５３と側板１０を含み、前記棒体５３の左側端面には底板５１が固定的に取り付けられ、前記底板５１の頂部端面には左右に対称的な下連結ブロック５２が固定的に取り付けられ、前記下連結ブロック５２の間にはヒンジ軸５９が固定的に取り付けられ、前記ヒンジ軸５９には上連結ブロック５４がヒンジで取り付けられ、前記上連結ブロック５４の頂部端面には調節台座５０が固定的に取り付けられ、前記調節台座５０の中には左右の移動を制御できる移動機構９０２と撮影角度を調節できる調節機構９０３とが設置され、前記側板１０の中にはスマホを挟みむ挟み機構９０４が設置され、前記側板１０と前記調節台座５０との間には回転を制御する回転機構９０５が設置され、前記本体９０１はまた前記調節台座５０の中に位置して下に開口した電池チャンバＡ７０を含み、前記電池チャンバＡ７０の開口したところには蓋板７１がヒンジで連結され、前記側板１０の中には後に開口した電池チャンバＢ３４が設置されている。
【００１６】
有益又は例示的に、前記挟み機構９０４は前記側板１０の中に位置して上に開口した伸縮溝１４を含み、前記伸縮溝１４の中には伸縮挟み板１３がスライドできるように取り付けられ、前記伸縮溝１４の左右両側の壁の中には対称的な位置制限溝Ａ１１が設置され、前記伸縮挟み板１３の左右両側端面には位置制限ブロックＡ１２が固定的に取り付けられ、前記位置制限ブロックＡ１２と前記位置制限溝Ａ１１とがスライドできるように連結され、前記側板１０の底部端面には固定挟み板１５が固定的に取り付けられ、前記固定挟み板１５と前記伸縮挟み板１３との前側端面には挟みブロック１６が固定的に取り付けられ、上下両側の前記挟みブロック１６の端面にはゴム敷１７が固定的に取り付けられ、前記挟みブロック１６の中にはボタン機構８０１が設置され、前記ボタン機構８０１は二つあり且つ上下に対称的であり、下方の前記ボタン機構８０１を例にすれば、前記ボタン機構８０１は前記挟みブロック１６の中に位置して上に開口したボタン溝３８を含み、前記ボタン溝３８の中にはボタンブロック３５がスライドできるように取り付けられ、前記ボタン溝３８の左側の内壁には位置制限溝Ｂ３７が設置され、前記ボタンブロック３５の左側端面には位置制限ブロックＢ３６が固定的に取り付けられ、前記位置制限ブロックＢ３６と前記位置制限溝Ｂ３７とがスライドできるように連結され、前記ボタン溝３８の底部端面には接触スイッチ４０が固定的に取り付けられ、前記ボタンブロック３５と前記ボタン溝３８の底壁との間には撥条４１が固定的に取り付けられ、前記伸縮溝１４の後側には噛合チャンバ１８が連通して設置され、前記噛合チャンバ１８の右側壁の中にはモーターＡ３２が固定的に取り付けられ、前記モーターＡ３２の左側の出力軸には噛合歯車２０が固定的に取り付けられ、前記噛合歯車２０と前記伸縮挟み板１３とが噛合している。それによりスマホを下方の挟みブロック１６に置き、重力の作用によって下方のボタンブロック３５が下へ押され、下方の接触スイッチ４０が押された後モーターＡ３２が始動して噛合歯車２０を回転連動させ、噛合歯車２０が噛合によって伸縮挟み板１３を下へ移動連動させ、伸縮挟み板１３が下へ移動するにしたがって、上方のボタンブロック３５と上方の接触スイッチ４０とが接触した後モーターＡ３２が停止し、スマホを固定させ、スマホを取り出す時スマホを上へ推し、下方のボタンブロック３５が撥条４１の作用によって上へ少しの距離を上がり、下方の接触スイッチ４０が接触されなくなり、モーターＡ３２を反方向に回転させてスマホを放す。
【００１７】
有益又は例示的に、前記移動機構９０２には前記調節台座５０の中に位置して上に開口したスライド溝４５が含まれ、前記スライド溝５６の左右壁の間にはネジ山軸５７が回転できるように取り付けられ、前記スライド溝５６の中にはスライド棒３０がスライドできるように取り付けられ、前記スライド棒３０と前記ネジ山軸５７とがネジ山によって連結され、前記スライド溝５６の右側には伝動チャンバ５８が設置され、前記ネジ山軸５７が前記伝動チャンバ５８の中に入っており、前記ネジ山軸５７において前記伝動チャンバ５８の右側壁の中に位置した軸にはリングギアが設置され、前記スライド溝５６の下方にはモーターＢ６２が設置され、前記伝動チャンバ５８の右側壁の中には回転軸６１が回転できるように取り付けられ、前記回転軸６１には伝動歯車６０が固定的に取り付けられ、前記伝動歯車６０と前記ネジ山軸５７とが噛合しており、前記回転軸６１の左側端面には前記モーターＢ６２の右側の出力軸と磁力によって接続された電磁石Ａ７９が固定的に取り付けられ、
それにより電磁石Ａ７９に通電を行い、電磁石Ａ７９が磁性を生じた後モーターＢ６２が始動して回転軸６１と伝動歯車６０を回転連動させ、伝動歯車６０が噛合によってネジ山軸５７を回転連動させ、ネジ山軸５７がネジ山によってスライド棒３０を移動連動させる。
【００１８】
有益又は例示的に、前記回転機構９０５は前記側板１０の後側端面に固定的に取り付けられた板体Ａ２１と板体Ｂ２８とを含み、前記スライド棒３０の頂部端面には固定遊動輪２２が固定的に取り付けられ、前記板体Ａ２１の底部端面には回転棒状体２３が固定的に取り付けられ、前記回転棒状体２３と前記固定遊動輪２２とが回転できるように連結され、前記板体Ｂ２８と前記スライド棒３０とが回転できるように連結され、前記側板１０の後側端面の中には後に開口した遊動輪チャンバ２６が設置され、前記遊動輪チャンバ２６の底壁の中にはモーターＣ２７が固定的に取り付けられ、前記モーターＣ２７の上に向いた出力軸には回転遊動輪２５が固定的に取り付けられ、前記回転遊動輪２５と前記固定遊動輪２２とが噛合し、
それによりモーターＣ２７が始動する時回転遊動輪２５を回転連動させ、固定遊動輪２２がスライド棒３０に固定され、回転遊動輪２５が噛合によって側板１０に固定遊動輪２２の周りを回転させる。
【００１９】
有益又は例示的に、前記調節機構９０３は前記スライド溝５６の下方に位置した線巻きチャンバ７２を含み、前記線巻きチャンバ７２の左右壁の間には線巻き軸６４が回転できるように取り付けられ、前記線巻き軸６４の右側端面には前記モーターＢ６２の左側の出力軸と磁力によって接続される電磁石Ｂ６３が固定的に取り付けられ、前記線巻き軸６４にはリール６５が固定的に取り付けられ、前記リール６５には二本の中心対称的な調節紐５５が固定的に巻き付いており、前記調節紐５５と前記底板５１の頂部端面とが固定され、前記線巻きチャンバ７２の底壁には左右に対称的な軸係止ブロック８０が固定的に取り付けられ、前記軸係止ブロック８０と前記線巻き軸６４とが回転できるようにきつく連結され、
それにより電磁石Ｂ６３が通電して磁力を生じる時、モーターＢ６２が線巻き軸６４を回転連動させ、線巻き軸６４がリール６５を回転連動させ、リール６５が調節紐５５を巻き納め、調節台座５０を連動させて底板５１に対して角度を変化させ、通常状態の時、軸係止ブロック８０と線巻き軸６４のきつい連結によって、使用時に角度が変わらず、手動で力を出して回せば角度を調節できる。
【００２０】
使用する時、スマホを下方の挟みブロック１６に置き、重力の作用によって下方のボタンブロック３５が下へ押され、下方の接触スイッチ４０が押された後モーターＡ３２が始動して噛合歯車２０を回転連動させ、噛合歯車２０が噛合によって伸縮挟み板み１３を下へ移動連動させ、伸縮挟み板１３が下へ移動するにしたがって、上方のボタンブロック３５と上方の接触スイッチ４０とが接触した後モーターＡ３２が停止し、スマホを固定させ、スマホを取り出す時スマホを上へ推し、下方のボタンブロック３５が撥条４１の作用によって少しの距離を上、下方の接触スイッチ４０が接触されなくなり、モーターＡ３２を反方向に回転連動させてスマホを放す。
【００２１】
方向を回転させる時、モーターＣ２７が始動して遊動輪２５を回転連動させ、固定遊動輪２２がスライド棒３０に固定され、回転遊動輪２５が噛合によって側板１０に固定遊動輪２２の周りを回転連動させる。
【００２２】
移動する時、電磁石Ａ７９に通電を行い、電磁石Ａ７９が磁性を生じ、モーターＢ６２が始動して回転軸６１と伝動歯車６０とを回転連動させ、伝動歯車６０が噛合によってネジ山軸５７を回転連動させ、ネジ山軸５７がネジ山係合によってスライド棒３０を移動連動させる。
【００２３】
角度を調節する時、電磁石Ｂ６３が通電して磁力を生じ、モーターＢ６２が始動して線巻き軸６４を回転連動させ、線巻き軸６４がリール６５を回転連動させ、リール６５が調節紐５５を巻き納め、調節台座５０を連動させて底板５１に対して角度を変化させ、通常状態の時、軸係止ブロック８０と線巻き軸６４とのきつい連結によって使用時に角度が変わらず、手動で力を出して回せば角度を調節できる。
【００２４】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。